(57)【要約】【課題】作業者にとって使い勝手の良いラック管理システムを提供する。【解決手段】携帯端末４にラック２、２・・の配列図が表示されるとともに、今回メンテナンス対象となるラック２が、他のラック２とは異なるメンテナンス表示態様で表示されるようにした。また、携帯端末４においてラック２の開錠操作を行うと、開錠操作したラック２に対応する作業マニュアル及びチェックシートが自動的に携帯端末４に表示されるようにした。したがって、作業者にしてみると、どこに配置されているどのラック２が今回メンテナンス対象であるか容易に把握することができるし、開錠したラック２に応じて一々作業マニュアル等を準備する必要もなく、ラック２、２・・のメンテナンスを容易に行うことができる。【選択図】図４
2015214854.tif 000002
【特許請求の範囲】
【請求項１】
電気錠が設置された扉体を有する複数のラックと、端末入力手段及び端末表示手段を備え、作業者に携帯されて前記電気錠を開閉させるための携帯端末と、前記電気錠と接続されているとともに前記携帯端末と無線通信可能に接続されており、前記携帯端末における操作により前記電気錠の開閉動作を制御するサーバ装置とを有するラック管理システムであって、
前記サーバ装置は、前記ラックの配列図と前記ラックのメンテナンスに係るスケジュールプログラムとを記憶している一方、
前記携帯端末は、前記ラックをメンテナンスする際に使用するアプリケーションを記憶しており、
前記サーバ装置は、前記携帯端末における前記アプリケーションの起動操作に応じて前記ラックの配列図を前記携帯端末に送信して前記端末表示手段に表示させるとともに、前記スケジュールプログラムにもとづいて今回メンテナンス対象となるラックを特定し、当該メンテナンス対象となるラックの前記配列図における位置情報を含むメンテナンス情報を前記携帯端末に送信し、
前記携帯端末は、前記メンテナンス情報を受信すると、前記端末表示手段に表示されている前記ラックの配列図において、前記メンテナンス対象となるラックの表示態様を所定のメンテナンス表示態様とする一方、
前記サーバ装置は、メンテナンスで使用する作業マニュアル及びチェックシートを前記ラック毎に記憶しており、
前記端末入力手段において、前記ラックを開錠するための開錠操作が行われると、対応する前記ラックの前記電気錠を開錠するとともに、対応する前記ラックの前記作業マニュアル及び前記チェックシートを前記携帯端末へ送信し、前記端末表示手段に表示させることを特徴とするラック管理システム。
【請求項２】
前記サーバ装置は、前記携帯端末における前記アプリケーションの終了操作に応じて全ての前記ラックの開錠／閉錠を確認し、開錠状態にある前記ラックが存在すると、前記携帯端末に閉錠忘れ信号を送信し、
前記携帯端末は、前記閉錠忘れ信号を受信すると、開錠状態にある前記ラックが存在する旨を前記端末表示手段で報知することを特徴とする請求項１に記載のラック管理システム。
【発明の詳細な説明】
【技術分野】
【０００１】
本発明は、たとえばデータセンター等に多数設置されているラックを管理するためのラック管理システムに関するものである。
【背景技術】
【０００２】
従来、たとえばデータセンター等といった多数のラックが設置されている場所には、各ラックに設けられた電気錠の開錠／閉錠やメンテナンスの要否等を管理するためのラック管理システムが設けられている。たとえば特許文献１に開示されている管理システムでは、無線ＬＡＮを介してサーバ装置と各ラックの錠装置とを接続するとともに、サーバ装置にＩＤカードを読み取り可能な認証装置を接続して構成される。そして、そのような管理システムでは、作業者がＩＤカードを認証装置にかざしてＩＤ等を読み取らせ、所望のラックを開錠するとともに、開錠したラックに対応するマニュアルやチェックシートを準備し、当該マニュアルやチャックシートにしたがってラックのメンテナンスを行っていた。
【先行技術文献】
【特許文献】
【０００３】
【特許文献１】特開２００９−１０２８４６号公報
【発明の概要】
【発明が解決しようとする課題】
【０００４】
しかしながら、上記従来の管理システムでは、どのラックが開錠されたのかといった事項やどのラックをメンテナンスする必要があるのかといった事項が判別しづらいという問題がある。また、開錠したラックに応じて一々作業マニュアル等を準備しなければならず、煩わしいという問題もある。さらに、ラックの閉錠忘れ等についても判別しづらいという問題もあり、総じて使い勝手の点で問題があった。
【０００５】
そこで、本発明は、上記問題に鑑みなされたものであって、作業者にとって使い勝手の良いラック管理システムを提供しようとするものである。
【課題を解決するための手段】
【０００６】
上記目的を達成するために、本発明のうち請求項１に記載の発明は、電気錠が設置された扉体を有する複数のラックと、端末入力手段及び端末表示手段を備え、作業者に携帯されて前記電気錠を開閉させるための携帯端末と、前記電気錠と接続されているとともに前記携帯端末と無線通信可能に接続されており、前記携帯端末における操作により前記電気錠の開閉動作を制御するサーバ装置とを有するラック管理システムであって、前記サーバ装置は、前記ラックの配列図と前記ラックのメンテナンスに係るスケジュールプログラムとを記憶している一方、前記携帯端末は、前記ラックをメンテナンスする際に使用するアプリケーションを記憶しており、前記サーバ装置は、前記携帯端末における前記アプリケーションの起動操作に応じて前記ラックの配列図を前記携帯端末に送信して前記端末表示手段に表示させるとともに、前記スケジュールプログラムにもとづいて今回メンテナンス対象となるラックを特定し、当該メンテナンス対象となるラックの前記配列図における位置情報を含むメンテナンス情報を前記携帯端末に送信し、前記携帯端末は、前記メンテナンス情報を受信すると、前記端末表示手段に表示されている前記ラックの配列図において、前記メンテナンス対象となるラックの表示態様を所定のメンテナンス表示態様とする一方、前記サーバ装置は、メンテナンスで使用する作業マニュアル及びチェックシートを前記ラック毎に記憶しており、前記端末入力手段において、前記ラックを開錠するための開錠操作が行われると、対応する前記ラックの前記電気錠を開錠するとともに、対応する前記ラックの前記作業マニュアル及び前記チェックシートを前記携帯端末へ送信し、前記端末表示手段に表示させることを特徴とする。
請求項２に記載の発明は、請求項１に記載の発明において、前記サーバ装置は、前記携帯端末における前記アプリケーションの終了操作に応じて全ての前記ラックの開錠／閉錠を確認し、開錠状態にある前記ラックが存在すると、前記携帯端末に閉錠忘れ信号を送信し、前記携帯端末は、前記閉錠忘れ信号を受信すると、開錠状態にある前記ラックが存在する旨を前記端末表示手段で報知することを特徴とする。
【発明の効果】
【０００７】
本発明によれば、携帯端末にラックの配列図が表示されるとともに、今回メンテナンス対象となるラックが所定のメンテナンス表示態様で表示される。また、携帯端末においてラックの開錠操作を行うと、開錠操作に対応するラックの作業マニュアル及びチェックシートが自動的に携帯端末に表示される。したがって、作業者にしてみると、どこに配置されているどのラックが今回メンテナンス対象であるか容易に把握することができるし、開錠したラックに応じて一々作業マニュアル等を準備する必要もなく、メンテナンスを容易に行うことができる。すなわち、作業者にとって使い勝手の非常によいラック管理システムとすることができる。
また、請求項２に記載の発明によれば、サーバ装置が、携帯端末におけるアプリケーションの終了操作に応じて全てのラックの開錠／閉錠を確認し、開錠状態にあるラックが存在すると、携帯端末が、自身の端末表示手段を用いて開錠状態にあるラックが存在する旨を報知する。したがって、閉錠忘れのままメンテナンスを終了するといった事態の発生を防止することができる。
【図面の簡単な説明】
【０００８】
【図１】ラック管理システムの概要を示した説明図である。
【図２】ラック管理システムのブロック構成図である。
【図３】ラック管理システムによる管理制御の概要を示したフローチャート図である。
【図４】携帯端末でのメイン画面の例を示した説明図であり、（ａ）は開錠状態にあるラックが存在する際のメイン画面であり、（ｂ）はメンテナンス対象となるラックが存在する際のメイン画面である。
【発明を実施するための形態】
【０００９】
以下、本発明の一実施形態となるランク管理システムについて、図面にもとづき詳細に説明する。
【００１０】
図１は、ラック管理システム１の概要を示した説明図であり、図２は、ラック管理システム１のブロック構成図である。
ラック管理システム１は、データセンター等で運用されるものであって、多数のラック２、２・・と、各ラック２毎に設けられている電気錠３と、作業者が携帯する携帯端末４と、電気錠３、３・・及び携帯端末４と無線ＬＡＮを介して接続されるサーバ装置５とを有してなる。
【００１１】
各ラック２は、内部にサーバー等の電子機器を内部に収納可能な箱体であり、所定の側面（たとえば前面）に形成された開口を開閉するための扉体２ａを有している。そして、各ラック２には、開口を閉塞した状態で扉体２ａを開錠／閉錠するための電気錠３が設置されている。各電気錠３は、扉体２ａを開錠／閉錠するためのロック機構（図示せず）をしなえているとともに、サーバ装置５との間で無線通信するための錠送受信手段（図示せず）や、ロック機構を開錠／閉錠動作させたり錠送受信手段を介してサーバ装置５との間で無線通信するための錠制御手段（図示せず）等を備えている。そして、電気錠３では、後述するようにサーバ装置５からの開錠指令信号の受信に伴い、ロック機構を開錠動作させて扉体２ａを開放可能とするとともにサーバ装置５へ開錠信号を送信したり、サーバ装置５からの閉錠指令信号の受信に伴い、ロック機構を閉錠動作させて扉体２ａを開放不可能とするとともにサーバ装置５へ閉錠信号を送信したり等する。
【００１２】
サーバ装置５は、電気錠３や携帯端末４との無線通信動作を含めた各種動作を制御する制御手段１１、ラック２、２・・のメンテナンスのスケジュールプログラムや各作業者に割り当てられたＩＤ、ラック２、２・・の個々に識別した状態での配列図、メンテナンスに使用する各ラック２毎の作業マニュアル及びチェックシート等を記憶するための記憶手段１２、モニター等といった表示手段１３、キーボード等といった入力手段１４、電気錠３や携帯端末４と無線ＬＡＮを介して無線通信するための送受信手段１５、及び時刻を計時するためのタイマ１７等を備えてなる。
【００１３】
携帯端末４は、作業者が携帯して使用するもの（たとえば、所謂ノートパソコン等）であって、サーバ装置５との無線通信動作を含めた各種動作を制御する端末制御手段２１、メンテナンスに使用するアプリケーションや後述するログイン画面やメイン画面、警告画面等を記憶する端末記憶手段２２、所謂タッチパネル機能を有するモニターである端末表示入力手段２３、及びサーバ装置５との間で無線通信するための端末送受信手段２４等を備えてなる。
【００１４】
以下、上記ラック管理システム１によるラック２、２・・の管理制御について、図３をもとに説明する。図３は、ラック管理システム１による管理制御の概要を示したフローチャート図である。
ラック管理システム１でラック２、２・・を管理するに際しては、サーバ装置５において各作業者のＩＤを記憶手段１２に予め登録しておくとともに、ラック２、２・・のメンテナンスに係るスケジュールプログラム（たとえば、いつどのラックをメンテナンスするか等）についても記憶手段１２に予め記憶させておく。一方、携帯端末４においても、各ラック２毎に定められた作業マニュアルやチェックシートを端末記憶手段２２に予め記憶させておく。
【００１５】
そして、ラック２、２・・のメンテナンスを開始するにあたり、作業者が携帯端末４において所定の起動操作を行うと、ラック２、２・・をメンテナンスする際に使用するアプリケーションが起動し、携帯端末４の端末制御手段２１はサーバ装置５と無線ＬＡＮを介した接続を開始する（Ｓ１）。そして、接続に成功すると（Ｓ１でＹＥＳ）、端末制御手段２１は、端末表示入力手段２３に作業者のＩＤを入力させるログイン画面を表示する（Ｓ３）。一方、接続に失敗すると（Ｓ１でＮＯ）と、端末制御手段２１は端末表示入力手段２３に接続設定画面を表示し（Ｓ２）、該接続設定画面での操作によりサーバ装置５との接続が成功したことをもって、ログイン画面を表示する（Ｓ３）。
【００１６】
ここで、作業者によりＩＤが入力される等してログイン操作がされると、端末制御手段２１は、入力されたＩＤ等のログイン情報を含むログイン要求信号をサーバ装置５へ送信する、すなわちログインが成功するか否かを判断する（Ｓ４）。制御手段１１は、ログイン要求信号を受信すると、ログイン情報と記憶手段１２に予め登録されているＩＤ等とを比較し、この比較の結果正常なログインであると判断すると、制御手段１１は携帯端末４へログイン認証信号を送信する。そして、端末制御手段２１では、ログイン認証信号の受信をもってログインが成功した（Ｓ４でＹＥＳ）と判断し、図４に示すようなメイン画面を端末表示入力手段２３に表示する（Ｓ５）。一方、ＩＤが誤って入力される等すると、制御手段１１での比較の結果正常なログインでないと判断され、制御手段１１は携帯端末４へログイン非認証信号を送信する。したがって、端末制御手段２１では、ログイン非認証信号の受信をもってログインが失敗した（Ｓ４でＮＯ）と判断し、再度ログイン画面を表示入力手段２３に表示する（Ｓ３）。
【００１７】
メイン画面とは、ラック２、２・・が設置されているフロアを階層毎に選択したり、ラック２、２・・をラック列毎に選択したりすることができる画面であって、階層及びラック列を選択することで、選択された階層のラック列におけるラック２、２・・の配列図がサーバ装置５から送信され、当該配列図がメイン画面上に表示される。また、サーバ装置５は、ラック２、２・・の配列図を送信するにあたって記憶手段１２を参照し、メンテナンスに係るスケジュールプログラムにもとづいて今回メンテナンス対象となるラックを特定するとともに、そのラックの配列図における位置情報等を含んだメンテナンス情報を携帯端末４へ送信する。そして、端末制御手段２１は、メンテナンス情報を受信すると、メイン画面上においてメンテナンス対象となるラック２を所定のメンテナンス表示態様で表示する。たとえば、図４（ｂ）に示すように、メンテナンス対象となるラック名を他のラック名とは異なる色で表示する（ここでは、フロアＩの列架１にあるラックＣがメンテナンス対象となっている）。
【００１８】
上述したように携帯端末４の端末表示入力手段２３にメンテナンス対象となるラック２が表示されるため、作業者は、携帯端末４を携帯したままメンテナンス対象となるラック２まで移動し、移動後に端末表示入力手段２３でメンテナンス対象となるラック２をタッチ操作する等して、ラック２の開錠操作を行う（Ｓ６）。そのような開錠操作が行われると、端末制御手段２１は、サーバ装置５へ開錠要求信号を送信する。制御手段１１は、開錠要求信号を受信すると、電気錠３へ開錠指令信号を送信して電気錠３を開錠させる（Ｓ７）。また、電気錠３からの開錠信号の受信をもって、携帯端末４へ開錠確認信号を送信するとともに、開錠したラック２に対応する作業マニュアル及びチェックシートを携帯端末４へ送信する。そして、端末制御手段２１は、作業マニュアル及びチェックシートを受信すると、その作業マニュアル及びチェックシートを端末表示入力手段２３に表示させる（Ｓ８）。したがって、作業者は表示された作業マニュアルやチェックシートにしたがって、ラック２のメンテナンスを行うことになる。なお、ラック２の開錠操作が行われると、制御手段１１は、ラック２を開錠した作業者のＩＤや開錠時刻、ラック２が開錠している旨等を作業履歴として記憶手段１２に記憶する。
【００１９】
そして、メンテナンスが終了するとラック２を閉錠することになるため、作業者は画面をメイン画面へと復帰させ、メンテナンスしたラック２をタッチ操作する等して、ラック２の閉錠操作を行う。この復帰させたメイン画面では、図４（ａ）に示すように、開錠しているラックが他のラックとは異なる色で表示される（すなわち、端末制御手段２１は、上記開錠確認信号の受信をもって、開錠しているラックを所定の開錠表示態様で表示することになる）。そして、閉錠操作が行われると、端末制御手段２１は、サーバ装置５へ閉錠要求信号を送信する。制御手段１１は、閉錠要求信号を受信すると、電気錠３へ閉錠指令信号を送信して電気錠３を閉錠させるとともに、電気錠３からの閉錠信号の受信をもって携帯端末４へ閉錠確認信号を送信する。また、端末制御手段２１は、閉錠確認信号を受信すると、対応するラックのメイン画面上での表示態様を上記開錠表示態様から通常の表示態様（閉錠表示態様）に切り替える。なお、ラック２の閉錠操作が行われると、制御手段１１は、ラック２を閉錠した作業者のＩＤや閉錠時刻、ラック２が閉錠している旨等を作業履歴として記憶手段１２に記憶させる。
【００２０】
その後、他に今回メンテナンス対象となるラック２がないと作業終了となるため、携帯端末４においてアプリケーションを終了させるための終了操作が行われる（Ｓ９）ことになる。ただ、上述したような閉錠操作が行われないまま終了操作が行われることも考えられる。そこで、端末制御手段２１は、終了操作が行われる（Ｓ９でＹＥＳと判断する）と、閉錠されていないラック２の有無を確認すべく（Ｓ１０）、サーバ装置５へ閉錠忘れ確認信号を送信する。制御手段１１は、閉錠忘れ確認信号を受信すると、全てのラック２、２・・の開錠／閉錠状態を確認し、全てのラック２、２・・が閉錠されていると、終了信号を携帯端末４へ送信する。そして、端末制御手段２１は、終了信号の受信に伴い閉錠忘れなしと判断（Ｓ１０でＮＯと判断）し、アプリケーションを終了させる。一方、制御手段１１は、１つでも開錠状態にあるラック２が存在すると、そのラック２の識別情報を含んだ閉錠忘れ信号を携帯端末４へ送信する。端末制御手段２１は、閉錠忘れ信号を受信すると、ラック２が開錠状態にある旨等が文字情報として表示される警告画面を端末表示入力手段２３に表示する（Ｓ１１）。であるにも拘わらず強制終了する場合もあるため、強制終了操作が行われる（Ｓ１２でＹＥＳと判断する）と、端末制御手段２１は、アプリケーションを終了させる。また、開錠状態にあるラック２の位置を確認する等のために強制終了以外の操作が行われる（Ｓ１２でＮＯと判断する）と、端末制御手段２１は、端末表示入力手段２３での表示画面をメイン画面とする（Ｓ５）。なお、他に今回メンテナンス対象となるラック２がある等により、閉錠操作後に終了操作以外の操作が行われた（Ｓ９でＮＯと判断する）場合にも、端末制御手段２１は、端末表示入力手段２３での表示画面をメイン画面とする（Ｓ５）。
【００２１】
以上のようなラック管理システム１によれば、携帯端末４にラック２、２・・の配列図が表示されるとともに、今回メンテナンス対象となるラック２が、他のラック２とは異なるメンテナンス表示態様で表示される。また、携帯端末４においてラック２の開錠操作を行うと、開錠操作したラック２に対応する作業マニュアル及びチェックシートが自動的に携帯端末４に表示される。したがって、作業者にしてみると、どこに配置されているどのラック２が今回メンテナンス対象であるか容易に把握することができるし、開錠したラック２に応じて一々作業マニュアル等を準備する必要もなく、ラック２、２・・のメンテナンスを容易に行うことができる。すなわち、作業者にとって使い勝手の非常によいラック管理システム１とすることができる。
【００２２】
さらに、開錠状態のラック２が存在するままメンテナンスを終了しようとすると、開錠状態のラック２が存在する旨が、携帯端末４の端末表示入力手段２３で報知される。したがって、閉錠忘れのままメンテナンスを終了するといった事態の発生を防止することができる。
加えて、携帯端末４では、開錠状態にあるラック２について、閉錠状態にあるラック２とは異なる開錠表示態様で表示するため、どのラック２が開錠状態にあるのか容易に把握することができる極めて使い勝手の良いラック管理システム１とすることができる。
【００２３】
なお、本発明に係るラック管理システムは、上記実施形態の態様に何ら限定されるものではなく、本発明の趣旨を逸脱しない範囲で、必要に応じて適宜変更することができる。
【００２４】
たとえば、ログイン画面において、作業者のＩＤと共にパスワード等を入力させるように構成してもよい。
また、上記実施形態では、端末表示手段と端末入力手段とを一体とした端末表示入力手段を携帯端末に備えているが、端末表示手段と端末入力手段とを別個に備えるとしても何ら問題はない。
さらに、ログインに失敗すると、強制的にアプリケーションが終了されるように構成することも可能である。
さらにまた、携帯端末でのラックの開錠操作や閉錠操作に関しても、上記実施形態の態様に何ら限定されるものではなく、たとえば開錠／閉錠したいラックの番号の入力を開錠／閉錠操作とすることも当然可能である。
加えて、メンテナンス表示態様や開錠表示態様についても、上記実施形態のものに限定されることはないし、たとえば携帯端末を用いて開錠されたラックと、携帯端末を用いることなく開錠されたラックとを異なる開錠表示態様で区別して表示するように構成する等してもよく、ラックのどのような状態をどのように表示するかについては適宜設計変更可能である。
【符号の説明】
【００２５】
１・・ラック管理システム、２・・ラック、３・・電気錠、４・・携帯端末、５・・サーバ装置、１１・・制御手段、１２・・記憶手段、１５・・送受信手段、１７・・タイマ、２１・・端末制御手段、２２・・端末記憶手段、２３・・端末表示入力手段（端末表示手段、端末入力手段）、２４・・端末送受信手段。
【図１】
2015214854.tif 000003
【図２】
2015214854.tif 000004
【図３】
2015214854.tif 000005
【図４】
2015214854.tif 000006